(57)【要約】  携帯端末使用状態検出部１１により検出される子供用携帯端末１００の使用状態、寝具使用状態検出部２１により検出されるベッド６００の使用状態、および照度検出部２２により検出されるベッド６００の周囲の照度に基づいて、子供用携帯端末１００の保有者である子どもが就寝しているか否かを判定する就寝判定部２３と、その判定結果を親用携帯端末４００に報知する報知部２４とを備え、子供用携帯端末１００の使用状態、ベッド６００の使用状態、周囲の照度の３つの要素から、子どもがベッド６００上で子供用携帯端末１００を使用した状態で起きているか否かを総合的に判定することにより、子どもが夜遅くまでベッド６００上で子供用携帯端末１００を使用している状態をできるだけ漏れなく検出して、親に報知することができるようにする。
2017179094.tif 000002
【特許請求の範囲】
【請求項１】
寝具の使用状態を検出する寝具使用状態検出部と、
周囲の照度を検出する照度検出部と、
携帯端末の使用状態を検出する携帯端末使用状態検出部と、
上記寝具使用状態検出部により検出される上記寝具の使用状態、上記照度検出部により検出される上記周囲の照度、および上記携帯端末使用状態検出部により検出される上記携帯端末の使用状態に基づいて、上記携帯端末の保有者が就寝しているか否かを判定する就寝判定部と、
上記就寝判定部による判定結果を、上記携帯端末の保有者以外の第三者に報知する報知部とを備えたことを特徴とする就寝状態検出システム。
【請求項２】
上記報知部は、あらかじめ設定した第１の設定時刻よりも遅くまで上記携帯端末の保有者が起きていることが上記就寝判定部により判定された場合に、その判定結果を上記第三者に報知することを特徴とする請求項１に記載の就寝状態検出システム。
【請求項３】
あらかじめ設定した第１の設定時刻よりも遅くまで上記携帯端末の保有者が起きていることが上記就寝判定部により判定された場合に、翌日の上記第１の設定時刻またはそれより所定時間だけ早い第２の設定時刻に、上記携帯端末の使用を控えることを促す通知を上記携帯端末に対して行う通知部を更に備えたことを特徴とする請求項１に記載の就寝状態検出システム。
【請求項４】
上記通知部は、上記第１の設定時刻または上記第２の設定時刻に上記携帯端末の保有者が起きていることが上記就寝判定部により判定された場合に限り、上記携帯端末の使用を控えることを促す通知を上記携帯端末に対して行うことを特徴とする請求項３に記載の就寝状態検出システム。
【請求項５】
上記報知部は、上記通知部による通知が上記第２の設定時刻に行われた後、上記第１の設定時刻よりも遅くまで上記携帯端末の保有者が起きていることが上記就寝判定部により判定された場合に限り、その判定結果を上記第三者に報知することを特徴とする請求項３に記載の就寝状態検出システム。
【請求項６】
上記就寝判定部は、
上記寝具の使用状態を表す寝具使用状態情報、上記周囲の照度を表す照度情報、および上記携帯端末の使用状態を表す携帯端末使用状態情報を所定の時間間隔で繰り返し取得する情報取得部と、
上記情報取得部により取得された上記寝具使用状態情報、上記照度情報および上記携帯端末使用状態情報を３軸とする３次元主成分分析を行い、少なくとも第１主成分の情報に基づいて、上記携帯端末の保有者が就寝しているか否かを判定する情報分析部とを備えたことを特徴とする請求項１に記載の就寝状態検出システム。
【請求項７】
寝具使用状態検出部により検出された寝具の使用状態を表す寝具使用状態情報、照度検出部により検出された周囲の照度を表す照度情報、および携帯端末使用状態検出部により検出された携帯端末の使用状態を表す携帯端末使用状態情報を所定の時間間隔で繰り返し取得する情報取得部と、
上記情報取得部により取得された上記寝具使用状態情報、上記照度情報および上記携帯端末使用状態情報に基づいて、上記携帯端末の保有者が就寝しているか否かを判定する情報分析部と、
上記情報分析部による判定結果を、上記携帯端末の保有者以外の第三者に報知する報知部とを備えたことを特徴とする就寝状態検出装置。
【請求項８】
あらかじめ設定した第１の設定時刻よりも遅くまで上記携帯端末の保有者が起きていることが上記就寝判定部により判定された場合に、翌日の上記第１の設定時刻またはそれより所定時間だけ早い第２の設定時刻に、上記携帯端末の使用を控えることを促す通知を上記携帯端末に対して行う通知部を更に備えたことを特徴とする請求項７に記載の就寝状態検出装置。
【請求項９】
上記報知部は、上記通知部による通知が上記第２の設定時刻に行われた後、上記第１の設定時刻よりも遅くまで上記携帯端末の保有者が起きていることが上記就寝判定部により判定された場合に限り、その判定結果を上記第三者に報知することを特徴とする請求項８に記載の就寝状態検出装置。
【請求項１０】
寝具使用状態検出部により検出された寝具の使用状態を表す寝具使用状態情報、照度検出部により検出された周囲の照度を表す照度情報、および携帯端末使用状態検出部により検出された携帯端末の使用状態を表す携帯端末使用状態情報を所定の時間間隔で繰り返し取得する情報取得手段、
上記情報取得手段により取得された上記寝具使用状態情報、上記照度情報および上記携帯端末使用状態情報に基づいて、上記携帯端末の保有者が就寝しているか否かを判定する就寝判定手段、および
上記就寝判定手段による判定結果を、上記携帯端末の保有者以外の第三者に報知する報知手段
としてコンピュータを機能させるための就寝状態検出用プログラム。
【請求項１１】
あらかじめ設定した第１の設定時刻よりも遅くまで上記携帯端末の保有者が起きていることが上記就寝判定手段により判定された場合に、翌日の上記第１の設定時刻またはそれより所定時間だけ早い第２の設定時刻に、上記携帯端末の使用を控えることを促す通知を上記携帯端末に対して行う通知手段
としてコンピュータを更に機能させるための請求項１０に記載の就寝状態検出用プログラム。
【請求項１２】
上記報知手段は、上記通知部による通知が上記第２の設定時刻に行われた後、上記第１の設定時刻よりも遅くまで上記携帯端末の保有者が起きていることが上記就寝判定手段により判定された場合に限り、その判定結果を上記第三者に報知することを特徴とする請求項１１に記載の就寝状態検出用プログラム。
【発明の詳細な説明】
【技術分野】
【０００１】
本発明は、就寝状態検出システム、就寝状態検出装置および就寝状態検出用プログラムに関し、特に、スマートフォン等の携帯端末の保有者が就寝しているか否かを検出するシステムに関するものである。
【背景技術】
【０００２】
近年、スマートフォン（スマホ）が子どもたちの間でも普及し、ネットサーフィン、ゲーム、コミュニケーションアプリなどで夜遅くまでスマホを利用する子どもが増えている。そして、頻繁に夜更かしをすることによって体内時計がずれていき、生活の夜型化を招いて朝早く起きられなくなり、その結果、遅刻常習や不登校となる児童が増加している。また、寝る前に布団の中でスマホを操作していると、睡眠障害などの健康障害を引き起こす恐れもある。【０００３】
このような問題に鑑みて、学校や自治体などが統一ルールを策定し、子どもによる夜間のスマホの使用を制限する動きが全国で広がりつつある。例えば、「夜９時以降は親がスマホを預かる」といった統一ルールを策定した自治体が知られている。このような地域の統一ルールがあると、親が子どもに注意しやすくなるというメリットがある。【０００４】
しかしながら、統一ルールはあくまで任意の取り組みであり、各家庭において必ずしもその通りに実施されるとは限らない。例えば、家庭の事情により、家庭内ルールとして夜間のスマホの使用を禁止しているものの、親がスマホを預かることまではできない場合もある。その場合、子どもが親の目を盗んで自分の部屋で夜遅くまでスマホを使用していても、そのような使用状況を親が把握することができないため、注意をすることができないという問題があった。【０００５】
なお、ベッドまたは人体にセンサを設け、検出した体動信号に基づいて睡眠状態を判定する技術が知られている（例えば、特許文献１参照）。この特許文献１には、室内の照度を検出する照度センサを睡眠判定装置に設け、体動信号に基づいて判定した入床時刻の経過後に、照度センサの検知照度が規定照度を下回った場合、検知照度が低下した時刻を入床時刻とする補正を行うことが記載されている。【０００６】
また、使用者が眠ろうとしているか否かを周囲の照度に基づいて判定する技術も知られている（例えば、特許文献２参照）。この特許文献２には、現在時刻情報が就寝時刻情報となり、病室内照明装置が消灯されている状態にも関わらず、ベッド近傍の照明装置が点灯されたことが検出装置により検出された場合に、患者が起きていると判定し、通知装置にて通知を行うことが記載されている。【０００７】
さらに、携帯通信装置の状態と周囲の照度とに基づいて使用者の起床を判定するようにした技術も知られている（例えば、特許文献３参照）。この特許文献３には、携帯通信装置に生じた加速度が基準値以上かつ周囲の照度が基準値以上という起床条件を満たすとともに、未通知のスケジュール情報または未確認の着信情報が携帯通信装置に保存されているときに、アラーム音を出力させることが記載されている。【０００８】
【特許文献１】特開２００７−２０２６８１号公報
【特許文献２】特開２００９−２８４９９８号公報
【特許文献３】特開２０１４−０５３８０１号公報
【発明の開示】
【０００９】
上記特許文献１，２に記載の技術では、人の睡眠状態を判定することは可能であるが、スマホを使用した状態で起きているか否かを判定することはできない。一方、上記特許文献３に記載の技術では、使用者が朝起きて携帯通信装置を使用している状態を、携帯通信装置の加速度と周囲の照度とにより確認することが可能である。
【００１０】
しかしながら、特許文献３に記載の技術を用いても、夜遅くに電気を消して布団の中でスマホを使用している状態、スマホを机やベッドに置いて使用している状態など、子どもがスマホを使用していることを検出できない場合もある。このようなことが日々続くと、親は子どもに注意をすることができず、生活の夜型化による睡眠障害、遅刻の常習化、不登校化などの弊害を引き起こす恐れがある。
【００１１】
本発明は、このような問題を解決するために成されたものであり、子どもが夜遅くまでスマホを使用している状態をできるだけ漏れなく検出して親に通知することができるようにすることを目的とする。
【００１２】
上記した課題を解決するために、本発明では、寝具の使用状態、周囲の照度および携帯端末の使用状態に基づいて、携帯端末の保有者が寝具上で就寝しているか否かを判定し、その判定結果を、携帯端末の保有者以外の第三者に報知するようにしている。
【００１３】
上記のように構成した本発明によれば、寝具の使用状態、周囲の照度および携帯端末の使用状態の３つの要素から、携帯端末の保有者が寝具上で携帯端末を使用した状態で起きているか否かが総合的に判定されるので、携帯端末の保有者である子どもが夜遅くまで寝具上で携帯端末を使用している状態をできるだけ漏れなく検出して、第三者である親に報知することができる。
【図面の簡単な説明】
【００１４】
【図１】本実施形態による就寝状態検出システムの全体構成例を示す図である。
【図２】本実施形態による就寝状態検出システムの機能構成例を示すブロック図である。
【図３】本実施形態による就寝状態検出システムの動作例を示すフローチャートである。
【発明を実施するための最良の形態】
【００１５】
以下、本発明の一実施形態を図面に基づいて説明する。図１は、本実施形態による就寝状態検出システムの全体構成例を示す図である。図１に示すように、本実施形態の就寝状態検出システムは、就寝状態の検出対象である子どもが保有するスマートフォン等の子供用携帯端末１００と、子どもが使用する寝具（例えば、ベッド）６００に設置されるセンサ装置２００と、無線ＬＡＮのアクセスポイント３００と、就寝状態の報知対象である親が保有するスマートフォン等の親用携帯端末４００とを備えて構成されている。【００１６】
センサ装置２００は、後述する各種センサと、Ｂｌｕｅｔｏｏｔｈ（登録商標。以下同様）による無線通信機能と、無線ＬＡＮによる無線通信機能とを備えている。子供用携帯端末１００とセンサ装置２００との間は、Ｂｌｕｅｔｏｏｔｈにより無線接続されている。また、センサ装置２００と親用携帯端末４００との間は、アクセスポイント３００を介して無線ＬＡＮにより無線接続されている。【００１７】
図２は、本実施形態による就寝状態検出システムの機能構成例を示すブロック図である。図２に示すように、子供用携帯端末１００は、その機能構成として、携帯端末使用状態検出部１１を備えている。また、センサ装置２００は、その機能構成として、寝具使用状態検出部２１、照度検出部２２、就寝判定部２３、報知部２４および通知部２５を備えている。【００１８】
子供用携帯端末１００が備える携帯端末使用状態検出部１１は、例えば、子供用携帯端末１００にインストールされたアプリケーションソフトウェアによって構成される。すなわち、子供用携帯端末１００は、ＣＰＵ、ＲＡＭ、ＲＯＭなどを有するマイコンを備えて構成され、携帯端末使用状態検出部１１の機能は、ハードディスクまたは半導体メモリ等の記録媒体に記憶されたプログラムをマイコンが処理することによって実現される。【００１９】
また、センサ装置２００が備える各機能ブロック２１〜２５は、ハードウェア、ＤＳＰ（Digital Signal Processor）、ソフトウェアの何れによっても構成することが可能である。例えばソフトウェアによって構成する場合、上記各機能ブロック２１〜２５は、実際にはＣＰＵ、ＲＡＭ、ＲＯＭなどを有するマイコンを備えて構成され、ＲＡＭやＲＯＭ、ハードディスクまたは半導体メモリ等の記録媒体に記憶されたプログラムが動作することによって実現される。【００２０】
携帯端末使用状態検出部１１は、子供用携帯端末１００の使用状態を検出する。例えば、携帯端末使用状態検出部１１は、子供用携帯端末１００のＣＰＵ使用率を携帯端末使用状態情報として逐次検出する。そして、検出したＣＰＵ使用率情報を、Ｂｌｕｅｔｏｏｔｈを介してセンサ装置２００の就寝判定部２３に逐次供給する。【００２１】
子どもが子供用携帯端末１００を使用していると、その使用状態に応じて、ＣＰＵ使用率の値が変動する。一方、子どもが子供用携帯端末１００を使用していない場合は、ＣＰＵ使用率はほぼ一定の値で安定している。よって、ＣＰＵ使用率の値は、子供用携帯端末１００の使用状態を表す情報と言える。【００２２】
なお、ここではＣＰＵ使用率を検出しているが、本発明はこれに限定されない。例えば、携帯端末使用状態検出部１１は、子供用携帯端末１００のメモリ使用率を検出するようにしてもよい。あるいは、携帯端末使用状態検出部１１は、通信のトラフィック量を検出するようにしてもよい。この他、子供用携帯端末１００の使用の有無に応じて値が変わる情報であれば、携帯端末使用状態検出部１１の検出対象として適用することが可能である。【００２３】
寝具使用状態検出部２１は、子どもによるベッド６００の使用状態を検出する。この寝具使用状態検出部２１は、例えば振動センサを備え、センサ装置２００が設置されたベッド６００の振動を寝具使用状態情報として検出する。そして、寝具使用状態検出部２１は、振動センサにより検出された振動情報を就寝判定部２３に逐次供給する。【００２４】
ここで、子どもがベッド６００に寝ながら子供用携帯端末１００を使用していると、そのときの身体の動きがベッド６００に伝わってベッド６００が振動し、その振動が振動センサにより検出される。一方、子どもがベッド６００を使用していない場合は、振動センサの出力値はゼロとなる。よって、振動センサにより検出される振動情報は、ベッド６００の使用状態を表す情報と言える。【００２５】
なお、子どもがベッド６００で睡眠している場合も、振動センサの出力値はゼロとなる。振動情報がセロ値を示す場合は、後述する就寝判定部２３によって子どもはベッド６００で起きているとは判定されない。よって、ベッド６００を使用していても、睡眠しているときに振動情報（寝具使用状態情報）がセロ値を示すことに特に問題はない。【００２６】
ここでは、ベッド６００の使用状態を検出するために振動センサを用いているが、本発明はこれに限定されない。例えば、寝具使用状態検出部２１が圧力センサを備え、当該圧力センサにより検出される圧力情報を、ベッド６００の使用状態を表す寝具使用状態情報として就寝判定部２３に供給するようにしてもよい。この他、ベッド６００の使用の有無に応じて値が変わる情報であれば、寝具使用状態検出部２１の検出対象として適用することが可能である。【００２７】
照度検出部２２は、例えば照度センサを備え、センサ装置２００が設置されているベッド６００の周囲の照度を検出する。照度センサが検出する照度は、ベッド６００が置かれた子ども部屋の照明の点灯状態によって変動する。あるいは、子どもがセンサ装置２００の近くで子供用携帯端末１００を使用している場合、照度センサが検出する照度は、子供用携帯端末１００のディスプレイの表示状態によっても変動し得る。照度検出部２２は、検出した照度情報を就寝判定部２３に逐次供給する。【００２８】
就寝判定部２３は、携帯端末使用状態検出部１１により検出される子供用携帯端末１００の使用状態を表す携帯端末使用状態情報（例えば、ＣＰＵ使用率情報）、寝具使用状態検出部２１により検出されるベッド６００の使用状態を表す寝具使用状態情報（例えば、振動情報）、照度検出部２２により検出されるベッド６００の周囲の照度を表す照度情報に基づいて、子供用携帯端末１００の保有者である子どもがベッド６００上で就寝しているか否かを判定する。【００２９】
具体的には、就寝判定部２３は、情報取得部２３ａおよび情報分析部２３ｂを備えている。情報取得部２３ａは、子供用携帯端末１００の使用状態を表す携帯端末使用状態情報（ＣＰＵ使用率情報）、ベッド６００の使用状態を表す寝具使用状態情報（振動情報）、周囲の照度を表す照度情報の３つを１つの情報セットとして、当該情報セットを所定の時間間隔（例えば、３０秒間隔）で繰り返し取得する。【００３０】
情報分析部２３ｂは、携帯端末使用状態検出部１１、寝具使用状態検出部２１および照度検出部２２のそれぞれから情報取得部２３ａによって取得された携帯端末使用状態情報、寝具使用状態情報および照度情報を３軸とする３次元主成分分析を行い、少なくとも第１主成分の情報に基づいて、子供用携帯端末１００の保有者である子どもがベッド６００上で就寝しているか否かを判定する。【００３１】
例えば、情報分析部２３ｂは、携帯端末使用状態情報をＸ軸、寝具使用状態情報をＹ軸、照度情報をＺ軸とする３次元座標上に、３０秒毎に取得される各値をプロットする。そして、値の分散が最も大きくなる方向に軸をとり、これを第１主成分とする。また、その軸に直交する２つの方向に残り２つの軸をとり、分散が大きい順に第２主成分、第３主成分とする。【００３２】
ここで、第１〜第３の主成分は、携帯端末使用状態情報、寝具使用状態情報、照度情報の３つを変数とし、主成分負荷量を重み付け係数として用いたｎ×３の行列式（ｎは３０秒毎に取得した情報セットの数）により求めることが可能である。このとき、行列の各要素に対して付与する重み付け係数は、行列の各主成分に対応した固有値を計算することで求める。固有値は、主成分の分散に対応しており、その主成分がどの程度元の情報を保持しているかを表す値である。行列の固有値を重み付け係数とすることで、分散が最大化されるために第１主成分が確定し、それに直交する形で第２主成分および第３主成分が確定する。【００３３】
情報分析部２３ｂは、第１主成分から第３主成分の値を確定した後、それらの値と所定の閾値とを比較することにより、子どもが就寝しているか否かを判定する。例えば、情報分析部２３ｂは、第１主成分の値が第１の閾値よりも大きいか否かによって、子どもの就寝状態を判定する。具体的には、第１主成分の値が第１の閾値よりも大きい場合に、子どもが起きていると判定する。この場合に用いる第１の閾値は、経験則的あるいは実験的に求めた固定値としてもよいし、機械学習によって変動する可変値としてもよい。【００３４】
機械学習によって第１の閾値を可変設定する場合、例えば次のように処理することが可能である。すなわち、第１主成分の値を複数日に渡って累積し、その分布をｋ−ｍｅａｎｓ法などのクラスタリング法によって二分する値に設定する。もしくは、アクチグラフなどの睡眠覚醒状態をモニターできる別の情報をもとに、その状態を最も反映し得る第１主成分の値を機械学習により見出し、閾値とするといった方法である。【００３５】
なお、ここでは第１主成分と第１の閾値との比較により子どもの就寝状態を判定する例について説明したが、本発明はこれに限定されない。例えば、第１主成分と第１の閾値との比較に加え、第２主成分と第２の閾値との比較および第３主成分と第３の閾値との比較のうち少なくとも一方を行って、それらの比較結果に基づいて子どもの就寝状態を判定するようにしてもよい。例えば、全ての主成分の値が閾値より大きくなっているときに、子どもが起きていると判定するといった具合である。【００３６】
報知部２４は、就寝判定部２３による判定結果を、アクセスポイント３００を介して親用携帯端末４００に報知する。報知を行うタイミングは、任意に設計することが可能である。例えば、報知部２４は、親がセンサ装置２００に対してあらかじめ設定した時刻よりも遅くまでベッド６００上で起きていることが就寝判定部２３により判定された場合に、その判定結果を親用携帯端末４００に報知する。【００３７】
具体的には、就寝判定部２３を常時動作させ、あらかじめ設定した時刻以降に子どもが起きていることが判定された場合に、その旨を報知部２４が親用携帯端末４００に報知する。なお、あらかじめ設定した時刻以降か否かは、センサ装置２００が備える時計により判定することが可能である。あるいは、あらかじめ設定した時刻になったときに就寝判定部２３を起動し、子どもが起きていることが判定された場合に報知を行うようにしてもよい。【００３８】
この報知を受けた親は、子どもに対して子供用携帯端末１００の利用を中止するように注意するなどの適切な対応をとることが可能となる。【００３９】
通知部２５は、あらかじめ設定した時刻以降に子どもが起きていることが就寝判定部２３により判定された場合、翌日の上記あらかじめ設定した時刻（第１の設定時刻とする）またはそれより所定時間だけ早い時刻（第２の設定時刻とする）に、子供用携帯端末１００の使用を控えることを促す通知を子供用携帯端末１００に対して行う。【００４０】
例えば、第１の設定時刻よりも遅くまで子どもが起きていることが就寝判定部２３により最初に判定された場合、就寝判定部２３は、通知部２５に通知フラグを設定する。通知部２５は、第２の設定時刻になったときに、通知フラグが設定されているか否かを判定し、設定されている場合に、子供用携帯端末１００の使用を控えることを促す通知を子供用携帯端末１００に対して行う。【００４１】
これにより、就寝判定部２３によって通知フラグが設定された日の翌日以降は、第２の設定時刻になると、子供用携帯端末１００の使用を控えることを促す通知が通知部２５により子供用携帯端末１００に対して送られるようになる。この通知を受けた子どもは、時間を忘れて子供用携帯端末１００の使用に没頭していても、通知を受けて使用を中止しようという意識を働かせることができ、また実際に使用を中止することができる。【００４２】
なお、通知部２５による子供用携帯端末１００への通知は、第２の設定時刻において子どもが起きていることが就寝判定部２３により判定された場合、つまり、第２の設定時刻において子どもがベッド６００に居ながら子供用携帯端末１００を使用していることが検出されている場合に限って行うようにしてもよい。【００４３】
上述の報知部２４は、第１の設定時刻より遅くまで子どもが起きていることが就寝判定部２３により最初に判定された日には親用携帯端末４００に対する報知は行わず、その翌日の第２の設定時刻に、通知部２５により子供用携帯端末１００に対する通知を行ったにもかかわらず、その後の第１の設定時刻以降まで子どもが起きていることが就寝判定部２３により判定された場合に、その旨を報知部２４が親用携帯端末４００に報知するようにしてもよい。【００４４】
このようにすれば、最初から親が子どもに介入するのではなく、まずは就寝状態検出システムから子どもに対して子供用携帯端末１００の使用の中止を勧告し、それでも夜遅くまで子供用携帯端末１００の使用を止めない場合に、親が子どもに介入するようにすることができる。【００４５】
図３は、上記のように構成した本実施形態による就寝状態検出システムの動作例を示すフローチャートである。なお、図３に示すフローチャートは、センサ装置２００の電源がオンとされている間は繰り返し実行されているものとする。【００４６】
まず、就寝判定部２３は、センサ装置２００が備える時計を参照することにより、第２の設定時刻になったか否かを判定する（ステップＳ１）。第２の設定時刻になっていない場合は、ステップＳ１の判定処理を繰り返す。一方、第２の設定時刻になった場合、就寝判定部２３は、通知部２５に通知フラグが設定されているか否かを判定する（ステップＳ２）。ここで、通知部２５に通知フラグが設定されていない場合、処理はステップＳ７に遷移する。【００４７】
一方、通知部２５に通知フラグが設定されている場合、就寝判定部２３の情報取得部２３ａは、携帯端末使用状態検出部１１、寝具使用状態検出部２１および照度検出部２２のそれぞれから携帯端末使用状態情報、寝具使用状態情報および照度情報を３０秒間隔でｎセット取得する（ステップＳ３）。そして、情報分析部２３ｂは、当該取得された情報を用いて３次元主成分分析を行い（ステップＳ４）、子どもがベッド６００上で起きているか否かを判定する（ステップＳ５）。【００４８】
ここで、子どもがベッド６００上で起きていないと判定された場合、図３に示すフローチャートの処理は終了する。一方、子どもがベッド６００上で起きていると就寝判定部２３にて判定された場合、通知部２５は、子供用携帯端末１００の使用を控えることを促す通知を子供用携帯端末１００に対して行う（ステップＳ６）。その後、就寝判定部２３は、第１の設定時刻になったか否かを判定する（ステップＳ７）。第１の設定時刻になっていない場合は、ステップＳ７の判定処理を繰り返す。【００４９】
一方、第１の設定時刻になった場合、就寝判定部２３の情報取得部２３ａは、携帯端末使用状態検出部１１、寝具使用状態検出部２１および照度検出部２２のそれぞれから携帯端末使用状態情報、寝具使用状態情報および照度情報を３０秒間隔でｎセット取得する（ステップＳ８）。そして、情報分析部２３ｂは、当該取得された情報を用いて３次元主成分分析を行い（ステップＳ９）、子どもがベッド６００上で起きているか否かを判定する（ステップＳ１０）。【００５０】
ここで、子どもがベッド６００上で起きていないと判定された場合、図３に示すフローチャートの処理は終了する。一方、子どもがベッド６００上で起きていると判定された場合、就寝判定部２３は、通知部２５に通知フラグが設定済みか否かを判定する（ステップＳ１１）。通知フラグが設定済みの場合、ステップＳ６において第２の設定時刻に子供用携帯端末１００に対する通知を行ったにもかかわらず、その後の第１の設定時刻になっても子供用携帯端末１００の使用を止めていないことを意味する。この場合、報知部２４は、就寝判定部２３による判定結果、つまり子どもがベッド６００で子供用携帯端末１００を使用して起きていることを親用携帯端末４００に報知する（ステップＳ１２）。これにより、図３に示すフローチャートの処理は終了する。【００５１】
一方、通知フラグが設定済みの場合、就寝判定部２３は、通知フラグを通知部２５に設定する（ステップＳ１３）。これにより、図３に示すフローチャートの処理は終了する。この場合、この日は親用携帯端末４００に対する報知は行われないが、翌日も子どもが夜遅くまで子供用携帯端末１００を使用していれば、ステップＳ１２で親用携帯端末４００に対する報知が行われる。【００５２】
以上詳しく説明したように、本実施形態では、子供用携帯端末１００の使用状態、ベッド６００の使用状態およびベッド６００の周囲の照度に基づいて、子供用携帯端末１００の保有者である子どもがベッド６００上で就寝しているか否かを判定し、その判定結果を、親用携帯端末４００に報知するようにしている。【００５３】
このように構成した本実施形態によれば、子供用携帯端末１００の使用状態、ベッド６００の使用状態、周囲の照度の３つの要素から、子どもがベッド６００上で子供用携帯端末１００を使用した状態で起きているか否かが総合的に判定されるので、子どもが夜遅くまでベッド６００上で子供用携帯端末１００を使用している状態をできるだけ漏れなく検出して、親に報知することができる。この報知を受けた親は、適切なタイミングで子どもに注意をするなどの介入をすることができる。【００５４】
なお、上記実施形態では、センサ装置２００が振動センサおよび照度センサを備える構成例について説明したが、本発明はこれに限定されない。例えば、センサ装置２００とは別体として振動センサおよび照度センサを設け、これらで検出した振動情報および照度情報を、寝具使用状態検出部２１および照度検出部２２が入力するようにしてもよい。【００５５】
センサ装置２００とは別体で照度センサを設ける場合、子供用携帯端末１００に照度センサを取り付けて、子供用携帯端末１００の周囲の照度を検出するようにしてもよい。このようにすれば、部屋の照明は消していても、子供用携帯端末１００のディスプレイから発せられる光による照度を検出して照度情報を得ることが可能である。【００５６】
また、上記実施形態では、報知部２４および通知部２５の両方をセンサ装置２００が備える構成について説明したが、本発明はこれに限定されない。例えば、通知部２５を省略して報知部２４のみ設けるようにしてもよい。この場合、就寝判定部２３および報知部２４の機能を、センサ装置２００に代えて親用携帯端末４００が備えるようにしてもよい。【００５７】
すなわち、携帯端末使用状態検出部１１、寝具使用状態検出部２１および照度検出部２２により検出した携帯端末使用状態情報、寝具使用状態情報および照度情報をセンサ装置２００から親用携帯端末４００に逐次送信するようにする。そして、親用携帯端末４００が備えた就寝判定部２３がこれらの情報を取得して主成分分析を行い、子どもが就寝しているか否かを親用携帯端末４００にて判定するようにしてもよい。【００５８】
また、上記実施形態では、就寝状態検出システムの動作例として図３のフローチャートを示したが、本発明はこれに限定されない。すなわち、図３の例では、就寝判定部２３、報知部２４および通知部２５の動作を第２の設定時刻以降にのみ実行している。これに対し、就寝判定部２３の動作を常時行い、子どもが起きていると判定されたときに、それが第２の設定時刻か否か、および第１の設定時刻以降か否かを判定し、その判定結果に応じて通知部２５および報知部２４の動作を実行するようにしてもよい。【００５９】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６０】
１１  携帯端末使用状態検出部
２１  寝具使用状態検出部
２２  照度検出部
２３  就寝判定部
２４  報知部
２５  通知部
１００  子供用携帯端末
２００  センサ装置
４００  親用携帯端末
【図１】
2017179094.tif 000003
【図２】
2017179094.tif 000004
【図３】
2017179094.tif 000005
【国際調査報告】
2017179094.tif 000006
2017179094.tif 000007